(57)【要約】【課題】  未使用時には折りたたんでコンパクトなサイズとなりかさばらず、使用時には収納する荷物の出し入れが容易な収納箱を得る。【解決手段】  折りたたみ式収納箱であって、前記箱の下底部に設けられた略方形の枠構造２２と前記箱の上蓋部に設けられた略方形の枠構造２１とは、前記箱の下底部に設けられた略方形の枠構造と前記箱の上蓋部に設けられた略方形の枠構造のそれぞれの四隅の近傍に各１本ずつ回動可能に軸支された前記伸縮自在な棒状の支持部材２３を介して連結され、前記棒状の支持部材２３の１対は前記箱の上蓋部に設けられた略方形の枠構造２１の一辺とその直下に位置する前記箱の下底部に設けられた略方形の枠構造２２の一辺を上底と下底とする略方形の面の対角線に沿って交差していて、もう1対も前記の支持部材が交差している略方形の面と対向する面上でその面の対角線に沿って交差しているように構成する。【選択図】        図１
2014046930.tif 000002
【特許請求の範囲】
【請求項１】
箱状カバー体と、箱の下底部と上蓋部に設けられた略方形の枠構造と、前期箱の下底部に設けられた略方形の枠構造に取り付けられて前記上蓋部に設けられた略方形の枠構造を支持する伸縮自在な棒状の支持部材と、前記上蓋部に設けられた略方形の枠構造に取り付けられた蓋構造とにより構成される折りたたみ式収納箱であって
前記箱の下底部に設けられた略方形の枠構造と前記箱の上蓋部に設けられた略方形の枠構造とは、前記箱の下底部に設けられた略方形の枠構造と前記箱の上蓋部に設けられた略方形の枠構造のそれぞれの四隅の近傍に各１本ずつ回動可能に軸支された前記伸縮自在な棒状の支持部材を介して連結され、前記棒状の支持部材の１対は前記箱の上蓋部に設けられた略方形の枠構造の一辺とその直下に位置する前記箱の下底部に設けられた略方形の枠構造の一辺を上底と下底とする略方形の面の対角線に沿って交差していて、もう1対も前記の支持部材が交差している略方形の面と対向する面上でその面の対角線に沿って交差しているように構成されていることを特徴とする折りたたみ式収納箱。
【請求項２】
請求項１記載の折りたたみ式収納箱において、
前記伸縮性のある支持部材が、軸方向の応力に対し弾力を生じる弾性体を備え、前記箱の上蓋部に設けられた略方形の枠構造の四隅の近傍に下方に向けて立設された接続片と前記箱の下底部に設けられた略方形の枠構造の四隅の近傍に上方に向けて立設された接続片にそれぞれ回動可能に軸支されていることを特徴とする折りたたみ式収納箱。
【請求項３】
請求項１又は請求項２のいずれか１項に記載の折りたたみ式収納箱において、
前記伸縮性のある支持部材が、箱の上蓋部に設けられた略方形の枠構造と箱の下底部に設けられた略方形の枠構造のいずれか一方に立設された接続片に回動可能に軸支されたスリープと、もう一方の枠構造に立設された接続片に回動可能に軸支され前記スリープの中に挿入されている支持棒と、スリープに装入された弾性体により構成されていて、前記弾性体はスリープの軸方向の応力対して弾力を生ずる部材であって、前記スリープの長さは前期支持部材が交差する略方形の面の上底と下底の短い方の一辺より短いことを特徴とする折りたたみ式収納箱。
【請求項４】
請求項１乃至請求項３のいずれか１項に記載の折りたたみ式収納箱において、
前記箱の下底部に設けられた略方形の枠構造と前記上蓋部に設けられた略方形の枠構造又は前記上蓋部に設けられた略方形の枠構造に取り付けられた蓋構造とを係止する係止構造を備えていることを特徴とする折りたたみ式収納箱。
【発明の詳細な説明】
【技術分野】
【０００１】
本発明は、未使用時には折りたたんでコンパクトなサイズとなりかさばらず、使用時には収納する荷物の出し入れが容易な収納箱に関する。
【背景技術】
【０００２】
インターネット宅配が普及し、また、宅配業者が店舗受付のみならず集荷を積極的に行うようになったため、宅配便の利用回数が増加している。
【０００３】
しかし、労働時間の多様化や共稼ぎの核家族などで不在がちな家庭においては、宅配便の受け取りや集荷サービスについて、十分に利用できないという悩みがあり、一方宅配業者側も、再配達率が高くなって業務効率が悪くなったり集荷のために不規則な時間に顧客宅を訪問しなければならないなどの悩みがある。
【０００４】
そこで、一般住宅においても玄関壁や門塀、マンションなどの通路などに設置でき、不在時の荷受を可能にした宅配ボックスが知られている（特許文献１）。
【０００５】
また、上記のとおりの従来の宅配ボックスは、未使用時にも比較的大きなボックス形状を有しているため屋内に収納するとかさばり、また、屋外に常置すれば通行の妨害になったり美感を損ねたりするため、未使用時には折り畳んでコンパクトに収納でき、荷受する使用時には簡単に組み立てて荷物を収納できる宅配ボックスが知られている（特許文献２）。
【０００６】
さらに、箱を折りたたむ構造として、交差させた側面支柱を有する構造が知られている（特許文献３）。
【先行技術文献】
【特許文献】
【０００７】
【特許文献１】特開平６−１０００８１号公報
【０００８】
【特許文献２】特開２０１０−８２４８２号公報
【０００９】
【特許文献３】実用新案登録第３１３０２９０号公報
【発明の概要】
【発明が解決しようとする課題】
【００１０】
しかし、宅配便で運ばれる荷物は上部に把手などを備えていないのが通常であり、上述した特許文献１等のような収納箱では、いずれも使用時には箱の側壁の高さを変えることができないため、重い荷物を収納したり収納された荷物を出す際に、荷物を両手で挟むように把持し、不安定な前傾姿勢をとりながらゆっくりと下ろしたり引き上げたりしなければならず、高齢者や女性など力の弱い利用者にとっては荷物の出し入れが困難であった。
【００１１】
本発明はこのような事情に鑑みてなされたものであり、未使用時にはコンパクトに折りたたむことができ、使用時には収納箱の側壁を下げて荷物の出し入れが容易にできるような構造を備えた収納箱を提供することを目的とする。
【課題を解決するための手段】
【００１２】
このような目的に応えるために本発明（請求項１記載の発明）に係る折りたたみ式収納箱は、箱状カバー体と、箱の下底部と上蓋部に設けられた略方形の枠構造と、前期箱の下底部に設けられた略方形の枠構造に取り付けられて前記上蓋部に設けられた略方形の枠構造を支持する伸縮自在な棒状の支持部材と、前記上蓋部に設けられた略方形の枠構造に取り付けられた蓋構造とにより構成される折りたたみ式収納箱であって、前記箱の下底部に設けられた略方形の枠構造と前記箱の上蓋部に設けられた略方形の枠構造とは、前記箱の下底部に設けられた略方形の枠構造と前記箱の上蓋部に設けられた略方形の枠構造のそれぞれの四隅の近傍に各１本ずつ回動可能に軸支された前記伸縮自在な棒状の支持部材を介して連結され、前記棒状の支持部材の１対は前記箱の上蓋部に設けられた略方形の枠構造の一辺とその直下に位置する前記箱の下底部に設けられた略方形の枠構造の一辺を上底と下底とする略方形の面の対角線に沿って交差していて、もう1対も前記の支持部材が交差している略方形の面と対向する面上でその面の対角線に沿って交差していることを特徴とする。
【００１３】
このような構成によれば、前記箱の上蓋部に設けられた略方形の枠構造を前記箱の底部に設けられた略方形の枠構造の方向に押し下げることにより前記伸縮自在な棒状の支持部材が縮むことで前記箱の上蓋部に設けられた略方形の枠構造を前記箱の底部に設けられた略方形の枠構造方向に前期収納箱を折りたたむことができ、折りたたんだ状態で前記蓋構造を閉めればコンパクトでかさばらない状態にすることができ、前記蓋構造を開ければ、押し下げられた前記箱の上蓋部に設けられた略方形の枠構造の高さまで荷物を持ち上げれば荷物を収納箱の中にいれて、それから前記箱の上蓋部に設けられた略方形の枠構造を引き上げることにより荷物を収納箱の中に収納することができる。また、中に荷物が入っている状態で前記蓋構造を開けて、前記箱の上蓋部に設けられた略方形の枠構造を前記箱の底部に設けられた略方形の枠構造の方向に押し下げることにより、利用者は押し下げられた前記箱の上蓋部に設けられた略方形の枠構造の高さまで荷物を持ち上げれば荷物を収納箱の外に出すことができる。
【００１４】
本発明（請求項２記載の発明）に係る折りたたみ式収納箱は、請求項１に記載の折りたたみ式収納箱において、前記伸縮性のある支持部材が、軸方向の応力に対し弾力を生じる弾性体を備え、前記箱の上蓋部に設けられた略方形の枠構造の四隅の近傍に下方に向けて立設された接続片と前記箱の下底部に設けられた略方形の枠構造の四隅の近傍に上方に向けて立設された接続片にそれぞれ回動可能に軸支されていることを特徴とする。
【００１５】
このような構成によれば、前記箱の上蓋部に設けられた略方形の枠構造を前記箱の底部に設けられた略方形の枠構造の方向に押し下げる際に、前記箱の上蓋部に設けられた略方形の枠構造に立設された接続片の支持棒軸支部が前記箱の底部に設けられた略方形の枠構造に立設された接続片の支持棒軸支部より低い位置まで下がったときに、前記支持部材の軸方向の応力に対し弾力を生じる弾性体の弾力により前記箱の上蓋部に設けられた略方形の枠構造が引き下げられ、前記箱の上蓋部に設けられた略方形の枠構造を引き上げる際に、前記箱の上蓋部に設けられた略方形の枠構造に立設された接続片の支持棒軸支部が前記箱の底部に設けられた略方形の枠構造に立設された接続片の支持棒軸支部より高い位置まで上がったときに、前記支持部材の軸方向の応力に対し弾力を生じる弾性体の弾力により前記箱の上蓋部に設けられた略方形の枠構造が押し上げられ、それぞれの作業が円滑に行われる上に、未使用時や、収納箱を折りたたんで荷物を出し入れしたりする際には、前記係止構造により収納箱が折りたたまれた状態が保持されるという利点がある。
【００１６】
本発明（請求項３記載の発明）に係る折りたたみ式収納箱は、請求項１又は請求項２のいずれか1項に記載の折りたたみ式収納箱において、前記伸縮性のある支持部材が、前記箱の上蓋部に設けられた略方形の枠構造と前記箱の下底部に設けられた略方形の枠構造のいずれか一方に立設された接続片に回動可能に軸支されたスリープと、もう一方の枠構造に立設された接続片に回動可能に軸支され前記スリープの中に挿入されている支持棒と、スリープに装入された弾性体により構成されていて、前記弾性体はスリープの軸方向の応力対して弾力を生ずる部材であって、前記スリープの長さは前期支持部材が交差する略方形の面の上底と下底の短い方の一辺より短いことを特徴とする。
【００１７】
このような構成によれば、軽量で丈夫な支持棒を得ることができる上に、[００１５]で述べたような、前記箱の上蓋部に設けられた略方形の枠構造の立設された接続片の支持棒軸支部部の位置によって、前記箱の上蓋部に設けられた略方形の枠構造が前記スリープに装入された弾性体の弾力により引き下げられたり押し上げられたりする効果を十分に得られるという利点がある。
【００１８】
本発明（請求項４記載の発明）に係る折りたたみ式収納箱は、請求項１乃至請求項３のいずれか１項に記載の折りたたみ式収納箱において、前記箱の下底部に設けられた略方形の枠構造と前記上蓋部に設けられた略方形の枠構造又は前記上蓋部に設けられた略方形の枠構造に取り付けられた蓋構造とを係止する係止構造を備えていることを特徴とする。
【００１９】
このような構成によれば、前記箱の上蓋部に設けられた略方形の枠構造を前記箱の底部に設けられた略方形の枠構造の方向に押し下げた状態が安定して保持されるという利点がある。
【発明の効果】
【００２０】
以上説明したように本発明に係る折りたたみ式収納箱によれば、未使用時にはコンパクトに折りたたむことができるためかさばらず、使用時には利用者が荷物を容易に収納箱内に収納できるような構造を備えた収納箱を提供できるという優れた効果がある。
【図面の簡単な説明】
【００２１】
【図１】本発明に係る折りたたみ式収納箱の一実施例を示し、収納箱の枠構造に蓋構造を取り付け、箱状カバー体を取り付けず、箱の上蓋部に設けられた略方形の枠構造と箱の底部に設けられた略方形の枠構造を係止していない状態の斜視図である。
【図２】図１において箱の上蓋部に設けられた略方形の枠構造と箱の底部に設けられた略方形の枠構造を係止した状態の斜視図である。
【図３】図２における係止構造の拡大斜視図である。
【図４】図２における蓋構造を取り付けた収納箱の枠構造の右側面図である。
【図５】図４におけるＡ−Ａ断面図の拡大図である。
【図６】図１において箱の底部に設けられた略方形の枠構造に回動可能に軸支されたばねを装入したスリープの拡大断面図である。
【図７】本発明に係る折りたたみ式収納箱の一実施例を示し、収納箱の枠構造の外側に箱状カバー体を備えた状態の斜視図である。
【図８】本発明に係る折りたたみ式収納箱の一実施例を示し、収納箱の枠構造の内側と外側に箱状カバー体を備えた状態の斜視図である。
【図９】図７において箱の上蓋部に設けられた略方形の枠構造と箱の底部に設けられた略方形の枠構造を係止した状態の斜視図である。
【図１０】本発明に係る折りたたみ式収納箱の一実施例を示し、収納箱の枠構造の、箱の上蓋部に設けられた略方形の枠構造と箱の底部に設けられた略方形の枠構造を係止していない状態の側面図である。
【図１１】図１０において、箱の上蓋部に設けられた略方形の枠構造を押し下げて、箱の上蓋部の枠構造に立設された接合片の支持棒軸支部が、箱の下底部の枠構造に立設された接合片の支持棒軸支部より低く下がった状態の側面図である。
【図１２】図１０、図１１において、接合片の支持棒軸支部の位置関係と上下へのベクトルの発生を示す図である。
【発明を実施するための形態】
【００２２】
本発明は以上のような構成であるので、これを図面に基づきながら本発明の実施の形態を説明する。
すなわち、本発明に係る折りたたみ式収納箱は、未使用時にはコンパクトに折りたたむことができ、使用時には収納箱の側壁を下げて荷物の出し入れが容易にできるように構成されている。
【実施例】
【００２３】
図１乃至図６は本発明に係る折りたたみ式収納箱の一実施例を示す。
これらの図において、全体を符号１０で示すものは本発明を特徴づける折りたたみ式収納箱である。
【００２４】
図１において、符号１１は、本発明に係る折りたたみ式収納箱１０を構成する収納箱の枠構造であり、該折りたたみ式収納箱１０はこの枠構造１１に外側箱状カバー体３１と内側箱状カバー体３２とのいずれか一方又は両方を装着することにより構成される。
【００２５】
前記収納箱の枠構造１１は、上蓋部に設けられた略方形の枠構造に取り付けられた蓋用枠体２５と該枠体に取り付けられた蓋２６底部に設けられた略方形の枠構造２２と、スリープ２３ａと支持棒２３ｂとばね２３ｃからなる支持部材２３と、蓋２６と、係止部材２７とで構成されている。
【００２６】
スリープ２３ａは一端が底部に設けられた略方形の枠構造２２の四隅の近傍に回動可能に軸支され、スリープ２３ａ内部にはばね２３ｃが装入され、スリープ２３ａの他の一端には支持棒２３ｂが挿入され支持棒２３ｂのスリープ２３ａに挿入されていない一端は上蓋部に設けられた略方形の枠構造２１の四隅の一の近傍に各１本ずつ回動可能に軸支されている。
【００２７】
上記のように前記上蓋部に設けられた略方形の枠構造２１と前記底部に設けられた略方形の枠構造２２を連結する前記支持部材２３は、２本を１対として、前記上蓋部に設けられた略方形の枠構造２１の一辺とその直下の前記底部に設けられた略方形の枠構造２２の一辺を上底と下底とする略方形の面の対角線に沿って交差しており、もう１対も前記略方形の面に対向する略方形において、同様に交差している。
【００２８】
図２において、収納箱の枠構造１１が、上蓋部に設けられた略方形の枠構造２１を底部に設けられた略方形の枠構造２２の方向に押し込むことにより支持構造２３が縮むことで収納箱の枠構造１１がおりたたまれ、図３と図５に示すように底部に設けられた略方形の枠構造２２に設けられた係止部材２７が蓋用枠体２５に設けられた係止爪２７ａにより係止されることにより、未使用時にはコンパクトでかさばらない状態にすることができる。底部に設けられた略方形の枠構造２２、係止部材２７及び蓋用枠体２５に金属や樹脂など弾力のある素材を採用することで、係止部材２７と係止爪２７ａを係止し、また、係止を解除することができる。また、使用時において底部に設けられた略方形の枠構造２２に蓋用枠体２５を係止したままの状態で利用者が荷物を収納箱１０に入れるときは、荷物を係止された上蓋部の枠構造２１に取り付けられた蓋用枠体２５の高さまで持ち上げればよい。
【００２９】
図２の状態で荷物を入れてから係止爪２７ａをはずすと、スリープ２３ａに装入されたばね２３ｃの弾力で上蓋部に設けられた略方形の枠構２１が持ち上げられ、図１の状態になれば、荷物を入れた状態で蓋をすることができる。また、荷物を出すときは、蓋を開けて上蓋部に設けられた略方形の枠構２１を押し下げて係止構造２７の係止爪で下底部に設けられた略方形の枠構造２２に上蓋部に設けられた略方形の枠構造を係止することで、荷物を係止された上蓋部の枠構造２１に取り付けられた蓋用枠体２５の高さまで持ち上げるだけで収納箱１０から出すことができる。
【００３０】
この枠構造１１に外側箱状カバー体３１を装着したものが図７である。
【００３１】
図８は図７の状態のものにさらに内側箱状カバー体３２を装着したものである。このようにすることで収納箱１０がより丈夫になる上に、収納した荷物が冷凍・冷蔵品であったり液状の内容物がこぼれるなどして前記箱状カバー体の内部が汚れた場合でも、内側カバー体３２だけを取り外して洗ったり交換したりすることで容易に収納箱１０内部を清潔な状態にすることができる。
【００３２】
図１０乃至図１２は本発明に係る折りたたみ式収納箱の他の実施例を示し、図６のように箱の上蓋部と下底部の枠構造の四隅の近傍にスリープを軸止する際に所定の長さを有する接合片２４を介するようにする。このようにすることで、上蓋部に設けられた略方形の枠構造２１を押し下げて収納箱を折りたたむ際に、図１１のように上蓋部枠体の接合片の支軸部２４ｅが下底部枠体の接合片の支軸部２４ｆより下がると、図１２の上図のように下方へのベクトルが発生し、収納箱を折りたたみやすくなる。
【００３３】
図１１の状態から図１０の状態になるように上蓋部に設けられた略方形の枠構造２１を引き上げ、上蓋部枠体の接合片の支軸部２４ｅが下底部枠体の接合片の支軸部２４ｆより上がると、図１２の下図のように上方へのベクトルが発生し、収納箱を広げやすくなる。
【００３４】
なお、本考案は上述した実施の形態で説明した構造には限定されず、各部の形状、構造等を適宜変形、変更し得ることはいうまでもない。
例えば、上述した実施形態では、上蓋部や底部の枠構造は略方形であるが、これを略楕円計または略楕円形を略方形の組み合わせするなどの様々な形状としてもよい。
また、箱の下底部に設けられた略方形の枠構造と上蓋部に設けられた略方形の枠構造又は上蓋部に設けられた略方形の枠構造に取り付けられた蓋構造とを係止する係止構造は、係止部材や係止爪が複数設けられていてもよいし、収納箱の箱構造が折りたたまれた状態を保持できるように、箱構造の構成部品の任意の場所に設置することができる。
【符号の説明】
【００３５】
１０  折りたたみ式収納箱
１１  折りたたみ式収納箱の枠構造（箱状カバー体未装着）
２１  上蓋部に設けられた略方形の枠構造
２２  下底部に設けられた略方形の枠構造
２３  支持部材
２３ａ  スリープ
２３ｂ  支持棒
２３ｃ  ばね
２４  接合片
２４ａ  上蓋部枠体接合片
２４ｂ  下底部枠体接合片
２４ｃ  上蓋部枠体接合片立設部
２４ｄ  下底部枠体接合片立設部
２４ｅ  上蓋部枠体接合片支持棒軸支部
２４ｆ  下底部枠体接合片支持棒軸支部
２５  蓋用枠体
２６  蓋
２７  係止部材
２７ａ  係止爪
３１  外側箱状カバー体
３２  内側箱状カバー体
【図１】
2014046930.tif 000003
【図２】
2014046930.tif 000004
【図３】
2014046930.tif 000005
【図４】
2014046930.tif 000006
【図５】
2014046930.tif 000007
【図６】
2014046930.tif 000008
【図７】
2014046930.tif 000009
【図８】
2014046930.tif 000010
【図９】
2014046930.tif 000011
【図１０】
2014046930.tif 000012
【図１１】
2014046930.tif 000013
【図１２】
2014046930.tif 000014